(57)【要約】  本発明は上部液体透過性カバーシート（２）、下部液体不透過性カバーシート（３）、及び両カバーシート（２，３）の間に配置された吸収体（２２）を含む、おむつ、失禁シールド、衛生ナプキン又はそれらの類似物品の如き吸収物品（１；１′）であって、前記物品（１；１′）が縦方向、縦方向における前部分（５）、及び縦方向における後部分（６）を規定するものに関する。本発明は上部カバーシート（２）が下にある詰物材料（４）とともに積層体を規定し、前記積層体が少なくとも前記後部分（６）において少なくとも一つの貫通スリット（２１；２１′）を伴って設計され、前記スリット（２１；２１′）が前記スリット（２１；２１′）を通る身体排泄物の通過のための対応する開口を規定すること、及び前記スリット（２１；２１′）が結合領域（２４）によって包囲され、前記結合領域（２４）が詰物材料（４）の弾性作用とともに前記物品（１；１′）の表面上に隆起領域（２３；２３′）を規定することを特徴とする。本発明はまた、かかる吸収物品の製造方法に関する。本発明によって、特に排泄物が前記スリットを通って吸収体に移動され、かつ下にある詰物材料に結合される吸収物品が得られる。これは排泄物の漏出を防止する。使用者の高度の快適性も得られる。【選択図】  図１
2007516767.tif 000002
【特許請求の範囲】
【請求項１】
上部の液体透過性カバーシート（２）、下部の好ましくは液体不透過性のカバーシート（３）、及び両カバーシート（２，３）の間に配置された吸収体（２２）を含む、おむつ、失禁シールド、衛生ナプキン又はそれらの類似物品の如き吸収物品（１；１′）であって、前記物品（１；１′）が縦方向、縦方向における前部分（５）、及び縦方向における後部分（６）を規定するものにおいて、上部カバーシート（２）が下にある詰物材料（４）とともに積層体を規定し、前記積層体が少なくとも前記後部分（６）において少なくとも一つの貫通スリット（２１；２１′）を伴って設計され、前記スリット（２１；２１′）が前記スリット（２１；２１′）を通る身体排泄物の通過のための対応する開口を規定すること、及び前記スリット（２１；２１′）が結合領域（２４）によって包囲され、前記結合領域（２４）が詰物材料（４）の弾性作用とともに前記物品（１；１′）の表面上に隆起領域（２３；２３′）を規定することを特徴とする吸収物品（１；１′）。
【請求項２】
前記スリット（２１；２１′）に規定される開口が、物品（１；１′）の表面が延びる平面に対して実質的に直角な方向に延びることを特徴とする請求項１に記載の吸収物品（１；１′）。
【請求項３】
各スリット（２１；２１′）に規定される開口が、実質的に物品（１）の前記前部分（５）に向かう方向に面することを特徴とする請求項１又は２に記載の吸収物品（１；１′）。
【請求項４】
前記結合領域（２４）が、熱結合によって形成されることを特徴とする請求項１〜３のいずれかに記載の吸収物品（１；１′）。
【請求項５】
前記結合領域（２４）が、前記物品（１；１′）の横方向に多数の実質的に平行な線に沿って延びる、線、点又は細長い領域を規定することを特徴とする請求項１〜４のいずれかに記載の吸収物品（１；１′）。
【請求項６】
前記結合領域（２４）が、前記物品（１；１′）の縦方向に多数の実質的に平行な線に沿って延びる、線、点又は細長い領域を規定することを特徴とする請求項１〜５のいずれかに記載の吸収物品（１；１′）。
【請求項７】
前記結合領域（２４）が、各スリット（２１；２１′）によって規定される開口が前記物品（１；１′）を使用する人の股領域のための想像された位置の方に面するように弧形構成を規定する、線、点又は細長い領域を規定することを特徴とする請求項１〜４のいずれかに記載の吸収物品（１；１′）。
【請求項８】
吸収物品（１；１′）が、二つの結合領域（２４）間にスリット（２１；２１′）を含むことを特徴とする請求項５〜７のいずれかに記載の吸収物品（１；１′）。
【請求項９】
吸収物品（１；１′）が、二つの結合領域（２４）間に二つのスリットを含むことを特徴とする請求項５〜７のいずれかに記載の吸収物品（１；１′）。
【請求項１０】
吸収物品（１）が多数のスリット（２１）を含み、前記スリット（２１）が、対応する数の隆起領域（２３）が物品（１）の前記縦方向に対して実質的に直角に走る多数の列に沿って形成されるこぶを規定するように向けられ、隣接する列が、一列のこぶ（２３）が隣接する列の二つのこぶ（２３）間の間隙と一致するようにオフセットされることを特徴とする請求項１〜９のいずれかに記載の吸収物品（１）。
【請求項１１】
各スリット（２１；２１′）が、前記詰物材料（４）が前記上部カバーシート（２；２′）に実質的に平行な分散方向で身体排泄物を取り込むために露出されるように位置されることを特徴とする請求項１〜１０のいずれかに記載の吸収物品（１；１′）。
【請求項１２】
前記スリット（２１；２１′）が実質的に前記物品（１；１′）の前記後部分（６）に位置され、前記後部分（６）が、排泄物が蓄積することが期待されうる領域として規定されることを特徴とする請求項１〜１１のいずれかに記載の吸収物品（１；１′）。
【請求項１３】
前記詰物材料（４）は、前記後部分（６）における嵩が物品の残りにおける嵩より実質的に大きくなっていることを特徴とする請求項１〜１２のいずれかに記載の吸収物品（１；１′）。
【請求項１４】
物品の縦方向における二つの隣接する結合領域間の距離が１０〜１００ｍｍ、好ましくは１５〜５０ｍｍであることを特徴とする請求項１〜１３のいずれかに記載の吸収物品（１；１′）。
【請求項１５】
物品の縦方向における結合領域（２４）とその後のスリットの間の距離が１０ｍｍ以下、好ましくは１〜１０ｍｍであることを特徴とする請求項１〜１４のいずれかに記載の吸収物品（１；１′）。
【請求項１６】
物品の横方向における前記スリット（２１）の長さが１０〜２０ｍｍであることを特徴とする請求項１〜１５のいずれかに記載の吸収物品（１；１′）。
【請求項１７】
上部の液体透過性カバーシート（２）、下部の液体不透過性カバーシート（３）、及び両カバーシート（２，３）の間に配置された吸収体（２２）を含む、おむつ、失禁シールド、衛生ナプキン又はそれらの類似物品の如き吸収物品（１；１′）の製造方法であって、前記物品（１；１′）が縦方向、縦方向における前部分（５）、及び縦方向における後部分（６）を規定するものにおいて、
前記上部カバーシート（２）と下にある詰物材料（４）を結合した積層体を形成し、
前記スリット（２１；２１′）を包囲しかつ詰物材料（４）の弾性作用とともに前記物品（１；１′）の表面上に隆起領域（２３；２３′）を規定する結合領域（２４）を形成し、
前記物品に沿って予め決められた表面（６）にわたって前記積層体に少なくとも一つのスリット（２１；２１′）を形成し、その手段によって前記スリット（２１；２１′）を通る身体排泄物の通過のための対応する開口が規定されることを含むことを特徴とする方法。
【請求項１８】
前記結合領域（２４）の形成が熱結合の工程を含むことを特徴とする請求項１７に記載の吸収物品（１；１′）の製造方法。
【請求項１９】
カバーシート（２）及び詰物材料（４）の両方からの繊維が結合領域（２４）において一緒に溶融されることを特徴とする請求項１８に記載の吸収物品（１；１′）の製造方法。
【発明の詳細な説明】
【技術分野】
【０００１】
本発明は、上部の好ましくは液体透過性のカバーシート、下部の好ましくは液体不透過性のカバーシート、及び両カバーシートの間に配置された吸収体を含む、おむつ、失禁シールド、衛生ナプキン又はそれらの類似物品の如き吸収物品であって、前記物品が縦方向、縦方向における前部分、及び縦方向における後部分を規定するものに関する。
【０００２】
また、本発明は、上部の液体透過性カバーシート、下部の好ましくは液体不透過性のカバーシート、及び両カバーシートの間に配置された吸収体を含む、おむつ、失禁シールド、衛生ナプキン又はそれらの類似物品の如き吸収物品の製造方法であって、前記物品が縦方向、縦方向における前部分、及び縦方向における後部分を規定するものに関する。
【背景技術】
【０００３】
おむつ、パンツおむつ、成人のための失禁シールド、及び衛生ナプキンの如き吸収物品と関連して、迅速かつ効率的な方法で身体排泄物を取り込み、分配し、吸収することができる材料及び構造について一般的な要求が長い間存在する。今日の吸収物品は一般に、良好な吸収性とともに、吸収物品を装着する人の高い快適度及び低い漏出危険性を有する。
【０００４】
吸収物品における効果的な吸収のための条件は、尿及び排泄物の迅速な取り込み、分配及び吸収の必要性がある幼児用おむつの場合にはとりわけ重要である。この関連において、新生児及び新生児よりわずかに成長した幼児は軟度において緩く流れる傾向のある排泄物を出すことが多いことが注意されるべきである。今日の幼児用おむつでは、例えばこの緩い排泄物がおむつを装着する人の背中に沿って漏出する危険がある。かかる漏出は例えば衣服及びシーツ・枕カバーの汚れの危険を伴うかもしれない。一般に、幼児用おむつと関連して、おむつの吸収材料及び表面材料による排泄物を取り込む能力についてずっと大きな要求があることが言われている。
【０００５】
従来技術によれば、おむつは封止を形成するいわゆる余分の内部バリヤー（内部脚ギャザー）を伴って設計されることができ、それによって排泄物はおむつの側部に沿って外に走り出すことから防止されることができる。これを達成する別の従来公知の方法はおむつにおける余分の横方向のポケットを使用することであり、これらのポケットはおむつの前又は後縁で漏れを防止するように設計される。
【０００６】
二つの上述の解決策を用いると、おむつからの排泄物の漏出は効果的な方法で防止される。しかしながら、排泄物がおむつのカバーシート上に留まって、使用者を汚すという問題はなお残ったままである。さらに、使用者がかかる状況において皮膚炎症を経験する危険がある。次に、この問題は相対的に大きな開口、例えば尿及び排泄物を取り込むためのタイプの開口を含む余分のカバーシートを有するおむつを使用することによって公知の方法で解決されている。
【０００７】
これらの解決策は皮膚の特定の領域に対して良好な保護を与える。なぜならば余分のカバーシートはそれらを分離するからである。しかしながら、ここでも排泄物がおむつの下方に透過できないという問題はなお残ったままである。従来技術によれば、この問題は排泄物を構造体の下方に透過することもできる小さな開口を有する特別なカバーシートを使用することによって解決されている。
【０００８】
上述の解決策の問題は開口を与えられたカバーシートの下に位置される吸収材料が開口を通って出て来て使用者の皮膚に付着しうることである。これはセルロース繊維、超吸収粒子又はポリマー材料の緩い繊維を含みうる。これはそれが劣った品質のおむつの視覚的印象を与えるので満足のいくものではない。さらに、それは使用者の皮膚の清浄を困難にし、最悪の場合には使用者は皮膚炎症を経験するかもしれない。
【０００９】
開口を有する従来公知のカバーシートが満足に機能しない理由は開口がおむつのｘ−ｙ面（即ち、おむつの表面に平行に延びる想像された面）において延びることである。下にある吸収材料はこのようにして露出される。
【００１０】
この問題を克服するために、おむつのｚ面（即ち、ｘ−ｙ面に対して直角な面）に延びる開口を有するおむつを製造することが既に知られている。かかる解決策の例はスウェーデン特許出願ＳＥ  ４４９２９８に記載されている。
【００１１】
しかしながら、ＳＥ  ４４９２９８による解決策の欠点はカバーシートが使用時に圧力にさらされるとｚ方向に開口が容易に圧縮されうることである。
【００１２】
それゆえ、特におむつのカバーシートに形成される開口に基づきかつ幼児に使用されるタイプのおむつにおける緩い排泄物のさらに改良された、取り込み、分配及び吸収に関する問題を解決する必要がある。
【発明の開示】
【００１３】
本発明の主要な目的は上述の問題が解決されかつ要求及び必要性が満足される改良された吸収物品を利用可能にすることである。
【００１４】
上述の目的は、冒頭に述べられたタイプの吸収物品であって、上部カバーシートが下にある詰物材料とともに積層体を規定し、前記積層体が少なくとも前記後部分において少なくとも一つの貫通スリットを伴って設計され、前記スリットが前記スリットを通る身体排泄物の通過のための対応する開口を規定すること、及び前記スリットが結合領域によって包囲され、前記結合領域が詰物材料の弾性作用とともに前記物品の表面上に隆起領域を規定することを特徴とする吸収物品によって達成される。
【００１５】
また、上述の目的は、冒頭に述べられたタイプの吸収物品の製造方法であって、前記上部カバーシートと下にある詰物材料を結合した積層体を形成し、前記物品に沿って予め決められた表面にわたって前記積層体に少なくとも一つのスリットを形成し、その手段によって前記スリットを通る身体排泄物の通過のための対応する開口が規定され、前記スリットを包囲しかつ詰物材料の弾性作用とともに前記物品の表面上に隆起領域を規定する結合領域を形成することを含む方法によって達成される。
【００１６】
本発明は特定の利点を与える。特に、本発明は排泄された体液及び排泄物の高スピードの受け入れを可能とすることが注目され、それは体液又は排泄物が表面を透過する代わりにシートの表面を横切って急速に走る危険を有意に減少する。上述のスリットが多数のこぶ形状領域を形成するように向けられている本発明の第一実施態様によれば、排泄物は上部シートを通って中に移動され、開口スリットを通って詰物材料に進み、その後それは分散され、最後に下にある詰物材料において結合される。このようにして、スリット及びこぶ形状領域は排泄物が使用者の背中で漏出することを防止するように作用する。さらに、排泄物は前記こぶ形状領域の間の谷に蓄積する。使用者の皮膚が排泄物を実質的に有さないこぶの上に対して横たわるので、皮膚炎症がほとんどなく、使用者の快適性が高い。
【００１７】
上述のスリットが物品の側縁の間で物品の上部面を横切って実質的に横方向に延びる実質的に直線を規定する本発明の第二実施態様によれば、物品の上部面を横切って規定される隆起領域が得られる。このようにして、排泄物のスピードを効果的に低下し、かつ排泄物が使用者の背中で漏出することを防止する構造が得られる。
【００１８】
図面の記載
本発明は好ましい実施態様及び添付図面を参照して以下に記載されるだろう。
図１は本発明を使用することができる幼児用おむつの形の吸収物品の透視図を示す。
図２は線Ｉ−Ｉに沿った図１によるおむつの横断面図である。
図３は本発明の主要な特徴を詳細に示す図１及び２によるおむつのわずかに拡大された透視図である。
図４は本発明の第二実施態様の透視図である。
図５は本発明の第三実施態様の透視図である。
図６は本発明の第四実施態様に従って設計されたおむつの形の吸収物品の透視図である。
図７は原則として図２による横断面に対応するが本発明のさらなる実施態様を示す本発明の横断面図である。
図８は物品がさらなる代替実施態様に従って形成された透視図を示す。
【発明を実施するための最良の形態】
【００１９】
本発明は本発明による様々なタイプの吸収物品を示す多数の好ましい実施態様を参照して記載されるだろう。図１から見ることができる第一実施態様によれば、吸収物品は幼児のための使い捨てタイプのおむつ１である。おむつ１は液体透過性上部シート２を構成する第一カバーシートを含む。この上部シート２は使用時におむつを装着する人の方へ向けられることを意図されるおむつ１の側上に配置される。おむつ１はさらに、使用時に使用者から離れて向けられることを意図される下部シート３を構成する第二カバーシートを含む。下部シート３は液密であることが好ましい。詰物材料４の層は上部シート２の下に配置される。以下に詳細に記載されるものに従って、上部シート２及び下にある詰物材料４は液体透過性及び液体輸送性の積層体を形成し、それは本発明によれば特に緩くて流れやすい排泄物を取り込むために使用される。詰物材料４の下には吸収体があり、それは図１では参照符号によって示されないが、特に図２を参照して以下に記載されるだろう。
【００２０】
従って、本発明によるおむつでは上部から下方へカバーシート２及び詰物材料４（それらはともに積層体を構成する）、吸収体、及び下部シート３からなる構造が形成される。
【００２１】
図１による液体透過性上部シート２は繊維材料、例えば柔らかい不織材料からなることが好ましいが、それは代わりに他の材料又は材料組み合わせからなることができる。例えば、それは例えばポリエチレン又はポリプロピレンの如き熱可塑性材料の有孔プラスチックフィルム、又は合成もしくは繊維材料のネット状層からなることができる。同様に、様々なタイプの好適な材料の積層体を液体透過性上部シートとして使用することができる。使用される不織材料はポリエチレン、ポリプロピレン、ポリエステル、ナイロンなどの合成繊維であることが好ましい。さらに、異なる繊維タイプの混合物を前記不織材料のために使用することができる。上部シート２はこのシート中の繊維が疎水性であっても尿を通過させるのに十分な大きさの細孔サイズを有することが好ましい。
【００２２】
従って、上部シート２は不織材料であることが好ましいが、選択された材料にかかわらず、上部シート２はそれ自体公知の方法で使用者からの液体排泄物を受けとり透過させてこれらを下方の下にある詰物材料４に輸送することを意図される。詰物材料４は特定の弾性及び厚さの好適な親水性材料であることが好ましい。さらに、下にある下部シート３は液体不透過性であることが好ましく、詰物材料４及び吸収体を通る液体の漏出を防止することを意図される。この目的のため、下部シート３は好ましくは薄い液密プラスチックフィルムの形の液体不透過性材料から作られることができる。例えば、ポリエチレン、ポリプロピレン又はポリエステルから作られたプラスチックフィルムを使用することができる。あるいは、不織布及びプラスチックフィルム又は他の好適な材料層の積層体を液密下部シート３として使用することができる。
【００２３】
図１からわかるように、おむつ１は実質的に細長い形状を有し、一般に使用時に幼児の胴体下部のまわりに適合するように形成される。従って、おむつ１は縦方向及び横方向を規定するように設計されると言うことができる。おむつ１はその縦方向において前部分５を、そしてその縦方向において後部分６を伴って設計される。おむつ１が使用されるとき、前部分５は使用者の腹の方へ向けられ下方では性器領域の方へ向けられるように位置され、一方後部分６は使用者の尻の方へ向けられるように位置される。前部分５と後部分６の間の境界は正確な寸法で規定される必要はなく、例えば特定の横方向の位置で生じるものではなく、代わりに使用者の股領域で広範な移行領域に沿って生じるものである。おむつ１の機能に関して、後部分６は基本的に、前部分５より使用者からの排泄物の量を多く取り込むように設計される。それゆえ後部分６は排泄物が蓄積することが期待されうる領域に対応する位置及び範囲を有すると言うことができる。
【００２４】
おむつ１はさらに、二つの細長い側縁７，８及び二つの横方向の端縁９，１０、特に前端縁９及び後端縁１０を伴って設計される。二つの側縁７，８は例えば縦方向弾性糸、バンドなどの形で弾性配置１１，１２（それは図１で破線によって示される）を伴って設計される。このようにして、弾性区域、いわゆる脚弾性体が側縁７，８で規定され、かくして各側縁７，８は使用者の脚の内側表面を担持し、それに対して封止を与え、尿及び排泄物の漏出を防止する。
【００２５】
さらに、おむつ１は好ましくは前端縁９及び後端縁１０のそれぞれに沿った二つの伸縮性部分の形でさらなる弾性要素１３，１４を含む。これらの弾性要素１３，１４は使用者の腹及び背中のそれぞれに対して接近するように設計され、その結果としておむつ１は使用時に必要な適合性及び快適性を与えられる。
【００２６】
使用者におむつ１を適合するために、それはさらに、後縁１０の近くの各側縁７，８に沿って配置された二つのテープ状固定ストリップ１５，１６を伴って設計される。固定ストリップ１５，１６は協働することを意図され、前端縁９において対応する固定領域１７，１８（それは図１の破線によって示される）に対して釈放可能な態様で固定される。固定タブ１５，１６は例えば好適な接着剤を与えられた固定ストリップ１５，１６によって、あるいはそれらをベルクロタイプの固定手段として又は他の好適な方法で設計することによって固定領域１７，１８上に固定されることができる。
【００２７】
おむつはさらに、各側縁７，８の内側を走りかつおむつ１の表面から上に延びる縦方向縁として設計される二つの縦方向側部バリヤー１９，２０を伴って設計され、従ってそれらは排泄物及び尿がおむつ１の側方から外へ漏出することを防止する。側部バリヤー１９，２０は上部シート２の面から実質的に直角な方向で各側部バリヤー１９，２０を持ち上げることを意図される弾性要素（図１に示さず）を与えられることが好ましい。このようにして、前記漏出を防止する効果的なバリヤーが形成される。
【００２８】
本発明によるおむつ１は特に新生児のために好適である。かかる用途では、おむつ１の長さは４００ｍｍ未満であり、その幅は３００ｍｍ未満である。しかしながら、本発明はおむつの外部寸法に関して特定のサイズに限定されず、代わりにそれは様々なサイズの様々な使用者に適応されることができる。
【００２９】
本発明の背後にある基本的原理は図１及び図２を参照して詳細に記載されるだろう。図２は図１の線Ｉ−Ｉに沿った横断面図である。図に示されるように、液体透過性上部シート２及び詰物材料４からなる積層体は多数のスリット２１によって特定の位置で切断される。これらの開口を通して、詰物材料４は使用者からの身体排泄物の通過及び蓄積のために露出される。スリット２１によって規定される開口がおむつ１のｚ方向に延びること（特に図２参照）、即ち上部シート２が向けられる面に対して実質的に直角な方向に延びることは注目されるべきである。示された実施態様によればスリット２１は図１からわかるように均一なパターンで置かれ、その手段によって上部シート２のスリット２１の形成は格子状構造を作り、その構造は好ましくはおむつ１の後部分６において位置される。このようにして、スリット２１によって規定される開口は使用者からの排泄物がおむつ１の使用時に蓄積することを期待されうるおむつ１の領域内に位置される。示された実施態様によれば、スリット２１は全てがおむつ１の横方向に沿って走る多数の列で置かれる。図３〜７を参照して以下に記載されるように、多数の様々な構成が本発明の範囲内でこれらのスリット２１の位置及びデザインのために選択されることができる。
【００３０】
上述したように、また特に図２からわかるように、吸収体２２は積層体と下部シート３の間に、即ち下部シート３の上であるが詰物材料４の下に配置される。図２による実施態様では、積層体は上述されたように、上部シート２及び詰物材料４からなる。図のいずれにも示されていない代替実施態様によれば、積層体はさらに、詰物材料の下に繊維シートを含むことができる。このさらなるシートはそのとき（上部シート２のように）不織布であることが好ましく、吸収体２２の上に置かれるだろう。
【００３１】
スリット２１の位置及び設計の主目的は、幼児の場合には軟度が緩くて走り出すことが予想されうる排泄物が迅速かつ効率的に各スリット２１を通過し、下にある詰物材料４に下方へ移動できることである。このようにして、排泄物は詰物材料４に取り込まれて結合される。スリット２１のさらなる効果はそれらが排泄物が使用者の背中で、即ち後端縁１０を越えて漏出することをかなりの程度防止する減速効果を有することである。上部シート２にスリットを与えることによって、下にある詰物材料４は形成された各開口においてｚ方向に露出される。従って、各こぶにおけるこの開口は排泄物の分散を減速し、さらに使用者の皮膚と排泄物の接触が減少されるように排泄物のための貯蔵空間を規定する。
【００３２】
スリット２１の位置及びデザインによって及び詰物材料４の固有弾性及び厚さによって、土手、即ちこぶ形状領域２３が上部シート２に形成される。即ち、おむつ１の上部面上に材料の均一に位置された高所が形成される。各こぶ形状領域２３の高さ及び弾性は特に下にある詰物材料４の特性によって決定される。
【００３３】
スリット２１がおむつ１の後部分６に位置されることによって、こぶ２３はまた、実質的に使用者の尻の下に位置される。こぶ２３がおむつ１の表面から出る方向、ｚ方向に特定の範囲を有することによって、排泄物はこぶ２２の間に規定される「谷」に蓄積される。さらに、詰物材料４はスリット２１に隣接するこぶの部分ではあまり圧縮されない。その理由のため排泄物は詰物材料によって容易に取り込まれることができる。これは次に使用者がおむつの上部シート２を極めて乾燥したものとして感じることを意味し、それはもちろん使用者の快適性に関して利点である。さらに、これは使用者が皮膚炎症を経験する危険を減らす。
【００３４】
おむつの製造では、上述の積層体はまず上部シート２を詰物材料４に結合することによって得られる。この結合は熱結合の種類のものであることが好ましく、それは結合領域２４（図２参照）を作るために使用されることができ、それは次に上部シート２を詰物材料４とともに保持するために使用されることができる。その後、スリットは実質的に全積層体を通して例えばはさみ、回転刃、打ち抜きなどによって形成され、それで積層体は吸収体２２上に置かれる。このようにして、スリット２１は上部シート２に形成され、下にある詰物材料４は図２に示されたようにスリットすることによって変形される。こぶ２３は詰物材料４の弾性又は「ばね」力の結果として形成される。スリット形成中、詰物材料４の最上部の繊維はこの材料がはね返って形成された開口において立上がるように切断される。それゆえ、スリット２１に対する結合領域２４の位置付けは重要であり、良好な弾性を得るように選択される。それゆえこぶにｚ方向の高さを与えるのは詰物材料の弾性である。
【００３５】
積層体を一緒に結合し、積層体にスリットを得る実際の工程はここでは詳細に示されていないが、それは積層体が材料ウェブの形で得られることに基づくことが好ましい。それはまず熱結合のための結合ステーションを通り、次いで積層体が多数の刃で好適な位置で切断されるスリット形成ステーションを通り供給される。詰物材料４へのカバー材料２の結合後及びかくして形成された積層体がスリットされた後、積層体全体が吸収シート２２上に置かれる。その後、下部シート３は適用されることができる。積層体の下側上に、即ち詰物材料４と吸収シート２２の間にさらなる材料シートを適用することもできる。このようにして、積層体における開口はｘ−ｙ面において望ましくない方法で広がることを防止される。それは例えば吸収シート２２上に積層体を適用するとき、材料シートの不注意による延伸の場合に起こりうる。
【００３６】
本発明の構造及び機能は図２及び図３を参照してより詳細に説明されるだろう。図３はおむつ１の後部分６の一区域のわずかに拡大された透視図である。図２及び３は、どのように上部シート２が特定の領域に沿って切断されて多数のスリット２１を規定するかを示す。スリット２１は上部シート２の上部表面を通り下にある詰物材料４にｚ方向に延びる開口通路を与える。詰物材料４は柔らかくかつ相対的に厚い材料からなることが好ましく、それは上部シート２を通る（即ち、スリット２１を通る又は上部シート２自体を通る）液体排泄物及び尿のための輸送及び分配層として機能する。詰物材料４はおむつ１の全表面に沿って横たわる連続層からなることが好ましい。あるいは、詰物材料はおむつの表面の一部分だけ又は多数の部分に位置されることができる。吸収体２２は身体排泄物の最適な吸収及び貯蔵のため、高吸収材料からなる。
【００３７】
実施態様によれば、おむつ１はおむつ１の後部分６における詰物材料がおむつ１の前部分５における詰物材料より厚いように設計される（図１参照）。より正確には、詰物材料は、ほとんどの排泄物が蓄積することを期待されかつ上部シート２においてスリット２１が切断されるおむつ１の後部分６においてずっと大きい嵩（即ち、単位重量あたりの体積）を有する。このようにして、詰物材料層４は主に後部分６において生じることを期待される排泄物を取り込むために最適に使用される。
【００３８】
詰物材料層４が多量の液体を迅速に取り込むことができるためには、それは相対的に大きな細孔、即ち液体の効果的な取り込みを可能とする毛管構造を有する繊維構造を持つ。詰物材料層４は繊維詰物タイプのものであることが好ましく、それは結合又は非結合であることができ、また合成又は天然繊維に基づくことができる。詰物材料の好適な選択によって、所望の構造のこぶ２３も得られる。特に、詰物材料層４における繊維、及びその密度及び弾性の選択は詰物材料４がスリット２１のまわりの領域で上方に圧迫する傾向を決定し、従って上述の上方に突出するこぶ２３を形成することができる。弾性は材料が圧縮後にその元の厚さ又は高さをとる能力、又はとろうとする能力を有することを意味するものとして理解されるべきである。上部シート２の残りのレベルに対して高いこぶ２３を得るため、従ってスリット２１によって規定された別個の大きな開口を得るため、特に高い弾性を有する材料をおむつ１の後部分６における詰物材料４に使用することができる。これは以下に詳細に記載されるだろう。
【００３９】
詰物材料層４は主に、吸収体２２への体液の迅速な輸送のための輸送層として意図される。換言すれば、詰物材料層４は高吸収性である必要はない。下にある高吸収層２２は対照的に、高い液体吸収度のために意図され、この目的のためセルロース毛羽パルプから作られることが好ましい。吸収体２２における高吸収材料はまた、いわゆる超吸収材を含むこともできる。超吸収材は自重の数倍の体液の如き液体を吸収する能力を有するポリマー化合物である。吸収体２２は代わりに吸収合成繊維、又は天然繊維と合成繊維の混合物からなることができる。
【００４０】
本発明による吸収体２２は図２に示されるように設計されることができ、又はそれは代わりに超吸収材が混合されるように設計されることができる。従って、本発明は体液の取り込み、分散及び貯蔵に関して良好な特性を有する単一シート又は異なるシート材料によって規定される吸収体の両方で実現されることができる。
【００４１】
図２及び３に示されるように、おむつ１は結合領域２４が規定されるように超音波溶接によって一緒に接合されることが好ましい。これらの結合領域２４は多数の線からなり、それは上部シート２を詰物材料４に結合し、スリット２２の近くで予め規定された態様で位置される。これらの結合領域２４は図１にも示されている。図２及び図３にも見られるように、これらの結合領域２４はそれらがおむつ１の上部面上に形成されたこぶ２３のまわりで材料層２，４を一緒に保持するように位置される。特に図３からわかるように、これらの結合領域２４はさらに、おむつ１の縦方向及び横方向の直線を用いた一種の格子系を規定する。これらの線は種々のこぶ２３を包囲する。
【００４２】
上で述べたように、おむつ１は好ましくは熱結合によって一緒に接合される。しかしながら、本発明はこの方法に限定されず、代わりに接合は上記結合領域２４を形成する接着剤結合又は何らかの他の好適な方法によってなされることができる。どの接合方法が選択されるかにかかわらず、各結合領域２４は一連の別個の点、連続線、幅広い領域又は他の同様の構成として設計されることができる。結合領域の幅（これらが幅広い領域である場合）又は点の位置及び寸法（一連の点の場合）の如き様々なパラメータを本発明の範囲内で変更することができる。材料シート間の強い結合を得るために、両シートからの繊維が結合領域２４で一緒に溶融されるような方法でカバーシート２及び詰物材料４における繊維材料を選択することができる。
【００４３】
各結合領域２４の幅に関して、これは本発明によるおむつの好適なデザインでは０．５〜１５ｍｍのオーダであることが好ましいことが述べられることができる。結合領域２４はまた、スリット２１（従ってこぶ２３も）が本発明に従って形成されることができるように予め決められた態様で位置される。図３からわかるように、二つの特定の寸法（ａ及びｂ）はおむつの縦方向で規定されることができる。ここでは結合領域２４はおむつの縦方向及び横方向に延びる実質的に直線を有する格子系として設計されることが想定される。さらに、スリット２１はおむつ１の横方向に互いに整列して位置されることが想定される。最初に述べた寸法ａはおむつの縦方向でわかるように、二つの隣接するスリット２１間の距離に関する。次に述べた寸法ｂはスリット２１の前に位置される結合領域２４とスリット２１の間の距離に関する。図１〜３に示された実施態様によれば、距離ａは０〜１００ｍｍ、好ましくは１５〜５０ｍｍのオーダであるが、距離ｂは１０ｍｍ以下、好ましくは１〜１０ｍｍのオーダである。
【００４４】
図３に示されるように、各スリット２１はさらに、おむつの横方向の長さｃを規定し、それは１０〜２０ｍｍのオーダであることが好ましい。これは二つの隣接するこぶ２３の間で実質的におむつの縦方向に走る結合領域２４が各スリット２１の長さｃをわずかに越える距離ｄで配置されることを意味する。
【００４５】
ここで与えられた種々の好ましい寸法ａ，ｂ，ｃ，ｄの詳細はまた、図４〜７を参照して以下に記載される実施態様に適用されることもできる。
【００４６】
図４に示される本発明のさらなる実施態様によれば、おむつ１の縦方向に走る結合領域は全く存在せず、代わりに使用される結合領域２４のみがおむつの横方向に走る。スリット２１の長さ及び位置決めは上に記載されたタイプのこぶを形成するための条件を与える。
【００４７】
図５に示される本発明の第三実施態様によれば、図３及び４による実施態様の場合のように、こぶ２３は一つおきにおむつの横方向にオフセットされず、代わりにこぶ２３はおむつ１の表面を横切る規則的な格子として位置される。換言すれば、こぶ２３はおむつの縦方向及び横方向の両方で互いに整列して横たわる。この第三の実施態様はおむつの縦方向及び横方向において、又はおむつの横方向においてのみ（図３参照）結合領域２４を与えられる。
【００４８】
図６の透視図に示される本発明の第四実施態様によれば、こぶ２３は図３〜５とは対照的に直線に沿って配向されない配置で位置されることができる。代わりに、こぶ２３はここでは弧状又は扇状構造に沿って配置され、このようにしておむつ１の排泄物を蓄積する能力をおむつ１を使用する人の体形に適応する。この実施態様では、スリット２１によって規定された開口は使用者の股領域の方へ内側に明確に向けられる。
【００４９】
図７は、本質的に図２に相当するが二つのスリット２１が各こぶ２３で作られる本発明のさらなる実施態様を示す横断面図である。それゆえ、ここでは材料は上述の実施態様（例えば図２参照）の場合である前縁においてのみの代わりに、各こぶ２３の前縁及び後縁の両方でスリットされる。この実施態様では、上部シート２は各こぶ２３上に一種の弧状形状を規定する。図４〜６に示された代替実施態様も図７に示された二重スリットを伴って設計されることができる。
【００５０】
図７に示された実施態様では、二つのスリット２１間の距離（即ち、こぶ２３を横切る距離）は４〜１００ｍｍ、好ましくは１０〜４０ｍｍであることができる。結合領域２４を横切って見た二つのスリット間の距離はさらに、３〜２０ｍｍ、好ましくは５〜１５ｍｍであることができる。
【００５１】
結合領域２４は図３〜５に示された直線からなることができるが、他の構成の溶接継目、例えば短い「破断された」線又は点（それはこぶ２３の好適な形成を可能とするような方法で位置される）を代替的に選択されうることは注目されるだろう。溶接継目は直線の形である必要はなく、代わりに湾曲された溶接継目がある用途には好ましい（図６参照）ことも同様に注目されるだろう。本発明によって満足される全体の条件は、スリット２１が開口を規定し、それがおむつ１のｚ方向に延び、かつおむつ１の後部分６において収集する排泄物の詰物材料４への最適な通過を可能とすることを確実にすることである。ここではスリット２１で規定された開口は特に排泄物の効果的な取り込みが後方に走りかつ上部シート２に実質的に平行なおむつ１に沿った方向で得られるように構成されていることは注目されるべきである（特に図２参照）。このようにして、排泄物はスリット２１における開口に実質的にまっすぐに移動される。
【００５２】
示された実施態様によれば、こぶ２３はおむつの縦方向に沿って多数の実質的に平行な列で配列される実質的に矩形の格子の形で位置される。これらの列はおむつ１を横切って横方向に、即ちおむつの二つの側部バリヤー１９，２０の間に延びる（図１参照）。一つおきの列のこぶ２３はおむつの横方向において、隣接する列に関してわずかにオフセットされることが好ましい。このようにして、所定の列のこぶ２３が隣接する列の二つのこぶ２３間の間隙と整列して横たわるように互い違いに配列されかつ「重複する」パターンを形成するようにこぶ２３は位置される。これは次に、スリット２１が緩い排泄物への最大のアクセスを与えることができ、排泄物が次いで下にある詰物材料に渡されることを意味する。
【００５３】
スリット２１及びこぶ２３の位置及び寸法は本発明の範囲内で変化しうる。図１〜７に示された相対的に均一なパターンに対する代替策として、こぶ２３は特に排泄物の所望の取り込みを与える所望の構成を形成することができる。同様に、スリット２１及びこぶ２３の寸法は本発明の範囲内で変化しうる。例えばこぶは長方形又は正方形である必要はなく、代わりにそれらは例えば半円のような別の形状であることができる。さらに、こぶは全て同じサイズ及び形状である必要はなく、代わりにおむつの後部分６の異なる領域において異なるタイプのこぶを存在させることができる。
【００５４】
上部シート２の表面の上のこぶ２３の高さもまた、本発明の範囲内で変化することができる。高さが高いほど、下にある詰物材料４へのアクセスが良好になり、それは例えば図３に示されるようにスリット２１によって規定される開口で認識されることができる。高い高さのこぶ２３はまた、使用者に改良された乾燥感触を与える。なぜならば排泄物はこぶ２３の間の谷にかなりの程度蓄積され、それは次に排泄物の分散を遅くし、さらに使用者の皮膚を排泄物との接触から分離するからである。
【００５５】
もし上部シート２が少なくとも各こぶ２３の横方向の切妻端の部分においてスリットされるなら、各こぶ２３を包囲する「格子」の大部分が下にある詰物材料４の露出のために開放されるので、追加の改良された効果を達成することができる。詰物材料４はまた、そのとき上部シート２をかなりの程度持ち上げ、従ってこぶ２３は効果的に隆起される。さらに、切妻がかくして形成され、そこでそれは詰物材料４に直接開放する。
【００５６】
代替実施態様によれば、こぶは詰物材料の完全なシートから方形物を打ち抜くことによって形成されることができる。残りの詰物材料はそのときこぶを規定する。これらはカバー材料によってカバーされ、それは例えばこぶ間の谷にしっかりと溶接又は接着され、スリットされ、そこで詰物の方形物が横たわる。
【００５７】
本発明の背後にある原理は詰物材料４の固有弾性及び硬さ、及びその弾性特性が上述のこぶ２３を形成するための条件を作ることである。こぶ２３の形を決定するさらなる要因は詰物材料４の厚さ、及びスリット及び結合領域の位置決め及び寸法決めである。
【００５８】
実際の試験は、２０％未満の永久圧縮及び６０〜２００ｇ／ｍ２の基本重量が本発明と関連して使用される詰物材料のための好適な材料パラメータでありうることを示した。永久圧縮の測定は、まず特定の圧縮力が適用され、その後除去された後の材料の厚さ（材料は回復される）と、材料の元の厚さとの差を測定することによって得られる。この値は次に元の厚さによって割られ、問題の材料の永久圧縮の値を与える。永久圧縮のための慣習的な測定方法はＩＳＯ  １８５６：１９８０である。
【００５９】
本発明の代替実施態様は図８を参照して記載され、その図８は図１に示されたのと実質的に同じタイプのおむつ１′を示すが、おむつの上部シート２′が別の方法で設計されている。図１の同様の構成要素に相当する図８の構成要素は図１と同じ参照符号によって示されている。図１〜７に示された実施態様とは対照的に、図８は相対的に長いスリット２１′が形成され、かつおむつ１′の縦方向に対して横切って走る本発明の変形例を記載する。より正確には、この実施態様では多数のこれらの横方向のスリット２１′が使用され、それはおむつ１′の各側部バリヤー１９，２０の間で走ることが好ましい。図８では、三つのかかるスリット２１′が示されているが、スリット２１′の数は本発明の範囲内で変化されることができる。
【００６０】
図８による実施態様では、おむつ１′の異なる材料層はまた、好適な位置で一緒に接合される。超音波溶接は好ましくは各スリット２１′の前に走る長い線の形で多数の結合領域２４′を形成するために使用されることが好ましい。このようにして、ｚ方向に大きな横方向の開口を有する接合された構造が形成され、それは下にある詰物材料４における排泄物の取り込みを容易にする。
【００６１】
各スリット２１′の端部分はおむつ１′の各側部バリヤー１９，２０において固定されることができる。このようにして、スリット２１′の各端部分は効果的な方法で側部バリヤー１９，２０とともに持ち上がるだろう。図１〜３に示されたこぶ形状領域２３の場合のように、図８による横方向の隆起領域２３′の高さはまた、下にある詰物材料４に含まれる材料の特性、例えばその嵩、弾性によって影響される。
【００６２】
図８は、各スリット２１′で規定される開口において、下にある詰物材料４における材料がどのように露出されるかを示す。図１〜７による実施態様の場合のように、図８によるおむつ１′の機能の主な原理は詰物材料４が前記スリット２１′を通る身体排泄物の通過のために露出されるようなタイプのスリット２１′を上部シート２′に与えることである。図４による実施態様は排泄物がおむつ１′の後端縁１０を介して漏出しないように排泄物を遅くする能力に関して特に効果的である。
【００６３】
寸法に関して、図８による実施態様はスリット２１′の長さが好ましくは側部バリヤー１９，２０間で完成したおむつ１′の幅と実質的に同じか又はそれよりわずかに小さいように設計される。さらに、これらの長い横方向のスリットは図８に示された実質的に直線のスリット２１′に対する代替策として、代わりに湾曲されてもよい。
【００６４】
本発明は上記の実施態様に限定されず、代わりにそれは添付特許請求の範囲内で変化されることができる。例えば、本発明の背後にある原理はおむつだけではなく、例えば失禁症を患う成人からの尿及び排泄物を収集するための失禁シールドにも適用されることができる。同様に、本発明は原則として衛生ナプキンに使用されることができる。
【００６５】
含まれる構成要素は異なる寸法を有することができる。例えば、こぶ（図１〜７による）及び隆起領域（図８による）のサイズ、高さ及び位置は変化されることができる。同様に、詰物材料４は様々な方法で、例えば好適に選択された寸法及び材料特性の様々なタイプの材料で設計されることができる。
【００６６】
上述した構造は身体排泄物を収集するために好適な他の構成と組み合わされることができる。例えば、本発明による吸収物品は例えば排泄物の収集に関する機能をさらに改良するために他のタイプのポケット、バリヤー構造及び表面材料を補足されることができる。
【図面の簡単な説明】
【００６７】
【図１】本発明を使用することができる幼児用おむつの形の吸収物品の透視図を示す。
【図２】線Ｉ−Ｉに沿った図１によるおむつの横断面図である。
【図３】本発明の主要な特徴を詳細に示す図１及び２によるおむつのわずかに拡大された透視図である。
【図４】本発明の第二実施態様の透視図である。
【図５】本発明の第三実施態様の透視図である。
【図６】本発明の第四実施態様に従って設計されたおむつの形の吸収物品の透視図である。
【図７】原則として図２による横断面に対応するが本発明のさらなる実施態様を示す本発明の横断面図である。
【図８】物品がさらなる代替実施態様に従って形成された透視図を示す。
【図１】
2007516767.tif 000003
【図２】
2007516767.tif 000004
【図３】
2007516767.tif 000005
【図４】
2007516767.tif 000006
【図５】
2007516767.tif 000007
【図６】
2007516767.tif 000008
【図７】
2007516767.tif 000009
【図８】
2007516767.tif 000010
【手続補正書】
【提出日】平成18年2月17日(2006.2.17)
【手続補正１】
【補正対象書類名】特許請求の範囲
【補正対象項目名】全文
【補正方法】変更
【補正の内容】
【特許請求の範囲】
【請求項１】
上部の液体透過性カバーシート（２）、下部の好ましくは液体不透過性のカバーシート（３）、及び両カバーシート（２，３）の間に配置された吸収体（２２）を含む、おむつ、失禁シールド、衛生ナプキン又はそれらの類似物品の如き吸収物品（１；１′）であって、前記物品（１；１′）が縦方向、縦方向における前部分（５）、及び縦方向における後部分（６）を規定するものにおいて、上部カバーシート（２）が下にある詰物材料（４）とともに積層体を規定し、前記積層体が少なくとも前記後部分（６）において少なくとも一つの貫通スリット（２１；２１′）を伴って設計され、前記スリット（２１；２１′）が前記上部シート（２）及び前記詰物材料（４）を通って切断することによって形成され、それによって前記スリット（２１；２１′）及び前記詰物材料（４）を通る身体排泄物の通過のための対応する開口を規定すること、及び前記スリット（２１；２１′）が結合領域（２４）によって包囲され、前記結合領域（２４）が詰物材料（４）の弾性作用とともに前記物品（１；１′）の表面上に隆起領域（２３；２３′）を規定することを特徴とする吸収物品（１；１′）。
【請求項２】
前記スリット（２１；２１′）に規定される開口が、物品（１；１′）の表面が延びる平面に対して実質的に直角な方向に延びることを特徴とする請求項１に記載の吸収物品（１；１′）。
【請求項３】
各スリット（２１；２１′）に規定される開口が、実質的に物品（１）の前記前部分（５）に向かう方向に面することを特徴とする請求項１又は２に記載の吸収物品（１；１′）。
【請求項４】
前記結合領域（２４）が、熱結合によって形成されることを特徴とする請求項１〜３のいずれかに記載の吸収物品（１；１′）。
【請求項５】
前記結合領域（２４）が、前記物品（１；１′）の横方向に多数の実質的に平行な線に沿って延びる、線、点又は細長い領域を規定することを特徴とする請求項１〜４のいずれかに記載の吸収物品（１；１′）。
【請求項６】
前記結合領域（２４）が、前記物品（１；１′）の縦方向に多数の実質的に平行な線に沿って延びる、線、点又は細長い領域を規定することを特徴とする請求項１〜５のいずれかに記載の吸収物品（１；１′）。
【請求項７】
前記結合領域（２４）が、各スリット（２１；２１′）によって規定される開口が前記物品（１；１′）を使用する人の股領域のための想像された位置の方に面するように弧形構成を規定する、線、点又は細長い領域を規定することを特徴とする請求項１〜４のいずれかに記載の吸収物品（１；１′）。
【請求項８】
吸収物品（１；１′）が、二つの結合領域（２４）間にスリット（２１；２１′）を含むことを特徴とする請求項５〜７のいずれかに記載の吸収物品（１；１′）。
【請求項９】
吸収物品（１；１′）が、二つの結合領域（２４）間に二つのスリットを含むことを特徴とする請求項５〜７のいずれかに記載の吸収物品（１；１′）。
【請求項１０】
吸収物品（１）が多数のスリット（２１）を含み、前記スリット（２１）が、対応する数の隆起領域（２３）が物品（１）の前記縦方向に対して実質的に直角に走る多数の列に沿って形成されるこぶを規定するように向けられ、隣接する列が、一列のこぶ（２３）が隣接する列の二つのこぶ（２３）間の間隙と一致するようにオフセットされることを特徴とする請求項１〜９のいずれかに記載の吸収物品（１）。
【請求項１１】
各スリット（２１；２１′）が、前記詰物材料（４）が前記上部カバーシート（２；２′）に実質的に平行な分散方向で身体排泄物を取り込むために露出されるように位置されることを特徴とする請求項１〜１０のいずれかに記載の吸収物品（１；１′）。
【請求項１２】
前記スリット（２１；２１′）が実質的に前記物品（１；１′）の前記後部分（６）に位置され、前記後部分（６）が、排泄物が蓄積することが期待されうる領域として規定されることを特徴とする請求項１〜１１のいずれかに記載の吸収物品（１；１′）。
【請求項１３】
前記詰物材料（４）は、前記後部分（６）における嵩が物品の残りにおける嵩より実質的に大きくなっていることを特徴とする請求項１〜１２のいずれかに記載の吸収物品（１；１′）。
【請求項１４】
物品の縦方向における二つの隣接する結合領域間の距離が１０〜１００ｍｍ、好ましくは１５〜５０ｍｍであることを特徴とする請求項１〜１３のいずれかに記載の吸収物品（１；１′）。
【請求項１５】
物品の縦方向における結合領域（２４）とその後のスリットの間の距離が１０ｍｍ以下、好ましくは１〜１０ｍｍであることを特徴とする請求項１〜１４のいずれかに記載の吸収物品（１；１′）。
【請求項１６】
物品の横方向における前記スリット（２１）の長さが１０〜２０ｍｍであることを特徴とする請求項１〜１５のいずれかに記載の吸収物品（１；１′）。
【請求項１７】
上部の液体透過性カバーシート（２）、下部の液体不透過性カバーシート（３）、及び両カバーシート（２，３）の間に配置された吸収体（２２）を含む、おむつ、失禁シールド、衛生ナプキン又はそれらの類似物品の如き吸収物品（１；１′）の製造方法であって、前記物品（１；１′）が縦方向、縦方向における前部分（５）、及び縦方向における後部分（６）を規定するものにおいて、
前記上部カバーシート（２）と下にある詰物材料（４）を結合した積層体を形成し、
前記スリット（２１；２１′）を包囲しかつ詰物材料（４）の弾性作用とともに前記物品（１；１′）の表面上に隆起領域（２３；２３′）を規定する結合領域（２４）を形成し、
前記上部シート（２）及び前記詰物材料（４）を通して切断することによって前記物品に沿って予め決められた表面（６）にわたって前記積層体に少なくとも一つのスリット（２１；２１′）を形成し、その手段によって前記スリット（２１；２１′）及び前記詰物材料（４）を通る身体排泄物の通過のための対応する開口が規定されることを含むことを特徴とする方法。
【請求項１８】
前記結合領域（２４）の形成が熱結合の工程を含むことを特徴とする請求項１７に記載の吸収物品（１；１′）の製造方法。
【請求項１９】
カバーシート（２）及び詰物材料（４）の両方からの繊維が結合領域（２４）において一緒に溶融されることを特徴とする請求項１８に記載の吸収物品（１；１′）の製造方法。
【国際調査報告】
2007516767.tif 000011
2007516767.tif 000012
2007516767.tif 000013